(57)【要約】  容器を得るために、プリフォームをブロー成形するための少なくとも１つのステーション（３）のための支持フレーム（２）が設けられた、容器をブロー成形するための装置（１）であって、ブロー成形ステーション（３）は、少なくとも１つの容器をブロー成形によって提供するように適合された２つの側体（３ａ、３ｂ）および底（３ｃ）を含み、２つの側体（３ａ、３ｂ）のうちの少なくとも１つは、命令により、支持フレーム（２）に対して、少なくとも１つの容器の軸と実質的に平行である関節軸（１０１）を中心として、周期的開閉のための手段を介して可動であり、少なくとも１つの可動の側体（３ａ）と底（３ｃ）との運動学的接続のための手段（４）が設けられ、関節軸（１０１）と実質的に平行である移動方向（１０２）に沿った底（３ｃ）の移動を周期的に生成するように適合され、周期的開閉手段は、第１のリンクロッド（１１）によって支持された作動体（２０）を含み、第１のリンクロッド（１１）は、支持フレーム（２）に対して、関節軸（１０１）と実質的に平行である旋回軸（１００）を中心として移動可能であり、第１のリンクロッド（１１）は、少なくとも１つの可動の側体（３ａ）に運動学的に接続されており、底（３ｃ）によって支持された少なくとも１つの係合要素（１４）によって係合可能なカム状プロファイル（１３）を規定する輪郭体（１２）に回転自在に関連付けられる、装置（１）。
2018535129.tif 000002
【特許請求の範囲】
【請求項１】
容器を得るために、プリフォームをブロー成形するための少なくとも１つのステーション（３）のための支持フレーム（２）が設けられた、容器をブロー成形するための装置（１）であって、前記ブロー成形ステーション（３）は、少なくとも１つの容器をブロー成形によって提供するように適合された２つの側体（３ａ、３ｂ）および底（３ｃ）を含み、前記２つの側体（３ａ、３ｂ）のうちの少なくとも１つは、命令により、前記支持フレーム（２）に対して、少なくとも１つの前記容器の軸と実質的に平行である関節軸（１０１）を中心として、周期的開閉のための手段を介して可動であり、前記少なくとも１つの可動の側体（３ａ）と前記底（３ｃ）との運動学的接続のための手段（４）が設けられ、前記関節軸（１０１）と実質的に平行である移動方向（１０２）に沿った前記底（３ｃ）の移動を周期的に生成するように適合され、
前記装置（１）は、
前記周期的開閉手段が、第１のリンクロッド（１１）によって支持された作動体（２０）を含み、前記第１のリンクロッド（１１）は、前記支持フレーム（２）に対して、前記関節軸（１０１）と実質的に平行である旋回軸（１００）を中心として移動可能であり、前記第１のリンクロッド（１１）は、前記少なくとも１つの可動の側体（３ａ）に運動学的に接続されており、前記底（３ｃ）によって支持された少なくとも１つの係合要素（１４）によって係合可能なカム状プロファイル（１３）を規定する輪郭体（１２）に回転自在に関連付けられることを特徴とする、装置（１）。
【請求項２】
前記可動の側体（３ａ）と他方の側体（３ｂ）との運動学的接続のための要素（５）を含み、前記運動学的接続要素（５）は、関節軸（１０１）を中心とする前記可動の側体（３ａ）の回転の結果として、同じ関節軸（１０１）を中心とする他方の側体（３ｂ）の回転を生成するように適合されていることを特徴とする、請求項１に記載の装置（１）。
【請求項３】
前記運動学的接続要素（５）は、前記関節軸（１０１）を中心とする第１の角度範囲にわたる前記可動の側体（３ａ）の回転の結果として、前記関節軸（１０１）を中心とする第２の角度範囲にわたる他方の側体（３ｂ）の回転を生成するように適合され、前記第２の角度範囲は、前記第１の角度範囲よりも大きいことを特徴とする、先行する請求項の１項以上に記載の装置（１）。
【請求項４】
前記リンクロッド（１１）を前記可動の側体（３ａ）に接続する作動レバーシステムを含むことを特徴とする、先行する請求項の１項以上に記載の装置（１）。
【請求項５】
前記運動学的接続要素（５）は、前記可動の側体（３ａ）を他方の側体（３ｂ）に接続する、運動移送のためのレバーシステム（４ａ）を含むことを特徴とする、先行する請求項の１項以上に記載の装置（１）。
【請求項６】
前記輪郭体（１２）は、前記関節軸（１０１）によって、および前記底（３ｃ）の前記移動方向（１０２）によって規定される平面と実質的に平行である配置平面上に規定される、移動軌道（１０３）に沿って移動可能であることを特徴とする、先行する請求項の１項以上に記載の装置（１）。
【請求項７】
前記少なくとも１つの係合要素（１４）はアイドルローラを含むことを特徴とする、先行する請求項の１項以上に記載の装置。
【請求項８】
前記レバーシステム（４ａ）は、その両端でそれぞれ前記第１のリンクロッド（１１）および前記輪郭体（１２）に回転可能に関連付けられた、誘導リンクロッド（１５）を含むことを特徴とする、請求項５に記載の装置。
【請求項９】
カルーセル構造に関連付けられた足場を含み、前記カルーセル構造は、前記足場に対して、前記関節軸（１０１）と実質的に平行であるカルーセルの軸を中心にして回転可能であり、複数のブロー成形ステーション（３）を支持しており、前記足場は、カルーセルの軸を中心とする前記ブロー成形ステーション（３）の回転中に、それぞれの旋回軸（１００）を中心とするそれぞれのリンクロッド（１１）の回転を生成するように、作動体（２０）のための少なくとも１つの係合トラックを支持する、先行する請求項の１項以上に記載の装置（１）。
【発明の詳細な説明】
【技術分野】
【０００１】
本発明は、プラスチック容器、特にＰＥＴ、ＰＥ、ＰＥＮおよび同様の材料で作られた容器をブロー成形するための装置に関する。
【背景技術】
【０００２】
回転前進ホイール上に配置され、金型支持体が本状に旋回されるブロー成形ステーションからなる、プリフォームをブロー成形するための装置を含む、プラスチック容器をブロー成形するためのシステムが公知である。
【０００３】
ブロー成形ステーションが固定された（これらは特に容器を形成するためのキャビティを収容するように適合されている）装置も同様に公知であり、この場合、金型支持体のために通常使用されるものは、互いに平行に配置されたプレートである。
【０００４】
ブロー成形ステーションを開閉するための運動の実行、およびベース部分（または底）を持ち上げるための運動の実行は通常、機械的に作動される。
【０００５】
回転前進ホイール上に配置されたブロー成形ステーションでは、湾曲区分（カム）が特に使用され、それらはマシンのシャーシ上に固定されて配置され、それに沿ってタペットローラが案内され、それらは、動かされるべき要素と接続される。
【０００６】
ＷＯ２００７／０１２３０９は、ベース部分がブロー成形ステーションに対して長手方向に動かされ、一方の金型支持体が固定され、他方の支持体が移動可能である、ブロー成形ステーションを開示する。
【０００７】
ＦＲ２８４１４９５は、金型の側方支持体に対して軸方向に移動可能であるベース部分を有する金型を開示する。
【０００８】
ＷＯ２００６／０２９５８５は、金型の側方支持体とベース部分との間に機械的結合があるブロー成形ステーションを開示する。
【０００９】
高度のコンパクト性を得ようとするには、金型の一方の側方支持体が固定され、一方が可動である解決策を使用することが好ましいが、この場合、ベース部分または底を持ち上げるための運動を管理することが問題になる。なぜなら、最適なブロー成形を保証するには、金型の側方支持体とベース部分との間で嵌合する形状を得ることが必須であるためである。
【００１０】
ＫＨＳコーポプラスト（KHS CORPOPLAST）の名におけるＥＰ  ２１４４７４２  Ｂ１は、プリフォームを成形するための支持構造上に配置されたブロー成形ステーションが設けられた、容器をブロー成形するための装置を開示する。
【００１１】
この場合、ブロー成形ステーションには、金型の２つの側壁およびベース部分または底が設けられている。
【００１２】
側壁のうちの一方は固定され、他方は支持構造に対して配向され得る。
底は、金型の２つの側壁の各々に対して移動可能である。
【００１３】
具体的には、金型の側壁は、位置付け移動を実行するためにともに機械的に結合され、一方、底は、側壁に対する移動軌道を有し、それは、ブロー成形ステーションの長手方向に延在する成分と、長手方向を横切って延在する成分との双方を有する。
【発明の概要】
【課題を解決するための手段】
【００１４】
上に提案された解決策は、底の移動軌道に起因するあるレベルの実現複雑性を提示する。
【００１５】
本発明の目標は、使用が極めて簡単で実用的である、プラスチック容器をブロー成形するための装置を提供することによって、上述の問題を解決し、欠点を克服することである。
【００１６】
この目標内で、この発明の目的は、構造の点で極めて単純であり、プロセスの最適な管理を可能にすることができる、プラスチック容器をブロー成形するための装置を提供することである。
【００１７】
この発明の別の目的は、その使用がフレキシブルであるブロー成形装置を提供することである。
【００１８】
以下により明らかになるであろうこの目標ならびにこれらのおよび他の目的は、請求項１に記載のプラスチック容器をブロー成形するための装置によって達成される。
【００１９】
この発明のさらなる特徴および利点は、この発明に従ったプラスチック容器をブロー成形するための装置のいくつかの好ましいものの排他的でない実施形態の説明からより明らかになるであろう。それらは、非限定的な例として添付図面に図示される。
【図面の簡単な説明】
【００２０】
【図１】ブロー成形ステーションを開放するステップ中の、この発明に従ったプラスチック容器をブロー成形するための装置の斜視図である。
【図２】図１のブロー成形ステーションの下からの図である。
【図３】閉鎖ステップ中のブロー成形ステーションの側面図である。
【発明を実施するための形態】
【００２１】
以下に説明される実施形態では、特定の例に関連して示される個々の特徴は実際には、他の実施形態に存在する他の異なる特徴と入れ替えられてもよい。
【００２２】
図面を参照して、この発明に従った容器をブロー成形するための装置は概して、参照番号１と称される。
【００２３】
装置１は、容器を得るために、プリフォームをブロー成形するための少なくとも１つのステーション３のための支持フレーム２を有する。
【００２４】
ブロー成形ステーション３は、２つの側体３ａ、３ｂおよび底３ｃを含む。
２つの側体３ａ、３ｂおよび底３ｃは、少なくとも１つの容器をブロー成形によって提供するように適合されている。
【００２５】
２つの側体３ａ、３ｂのうちの少なくとも１つは、命令により、支持フレーム２に対して、容器の軸と実質的に平行である関節軸１０１を中心として、周期的開閉手段を介して可動である。
【００２６】
この発明によれば、装置１には、少なくとも可動の側体３ａと底３ｃとの運動学的接続の手段４が設けられる。
【００２７】
特に、運動学的接続手段４は、関節軸１０１と実質的に平行である移動方向１０２に沿った底３ｃの移動を周期的に生成するように適合されている。
【００２８】
この発明によれば、周期的開閉手段は、第１のリンクロッド１１によって支持された作動体２０を含む。
【００２９】
第１のリンクロッド１１は、支持フレーム２に対して、関節軸１０１と実質的に平行である旋回軸１００を中心として移動可能である。
【００３０】
第１のリンクロッド１１は、少なくとも可動の側体３ａに運動学的に接続されており、底３ｃによって支持された少なくとも１つの係合要素１４によって係合可能なカム状プロファイル１３を規定する輪郭体１２（contoured body）に回転自在に関連付けられる。
【００３１】
実際には、支持フレーム２に対する、第１のリンクロッド１１の、旋回軸１００を中心とする移動は、移動方向１０２に沿った底３ｃの移動と、関節軸１０１を中心とする回転を介した可動の側体３ａの開閉とを周期的に生成する。
【００３２】
有利には、装置１は、可動の側体３ａと他方の側体３ｂとの運動学的接続のための要素５を含む。
【００３３】
特に、運動学的接続要素は、可動の側体３ａの回転の結果として、関節軸１０１を中心とする他方の側体３ｂの回転を生成するように適合されている。
【００３４】
便利には、運動学的接続要素５は、関節軸１０１を中心とする第１の角度範囲にわたる可動の側体３ａの回転の結果として、関節軸１０１を中心とする第２の角度範囲にわたる他方の側体３ｂの回転を生成するように適合されている。
【００３５】
好ましくは、第２の角度範囲は、第１の角度範囲よりも大きい。
便利には、運動学的接続要素５は、可動の側体３ａを他方の側体３ｂに接続する、運動移送のためのレバーシステムを含む。
【００３６】
リンクロッド１１から側体３ａおよび３ｂへ運動を移送する異なった方法を有することも同様に可能である。一例として、側体３ａ、３ｂの回転を独立して作動させるために、リンクロッド１１を可動の側体３ａおよび他方の側体３ｂにそれぞれ接続する２つの別個の運動学的接続要素を使用しない理由はない。
【００３７】
輪郭体１２は、旋回軸１００によって、および底３ｃの移動方向１０２によって規定される平面と実質的に平行である配置平面上に規定される、移動軌道１０３に沿って移動可能である。
【００３８】
好ましくは、係合要素１３はたとえばアイドルローラを含み、それはオプションで偏心であってもよい。
【００３９】
具体的には、移動軌道１０３は、底３ｃの移動方向に対して実質的に直角に延在する。
便利には、運動学的接続手段４は、その両端でそれぞれ第１のリンクロッド１１および輪郭体１２に回転可能に関連付けられた、誘導リンクロッド１５を含む。
【００４０】
リンクロッド１１は、作動レバーシステムを介して、金型側体３ａに運動学的に接続される。
【００４１】
好ましくは、作動レバーシステムは、輪郭体に関連付けられた端の反対に配置されたリンクロッド１１の端に接続される。
【００４２】
具体的には、作動レバーシステムが関連付けられた端が旋回軸１００を規定することが可能である。
【００４３】
好ましくは、各ブロー成形ステーション３は、それぞれの容器を得るための２つのキャビティを内部に規定する。
【００４４】
この発明に従った装置１は、カルーセル構造に関連付けられた足場を含み、カルーセル構造は、足場に対して、カルーセルの軸を中心にして回転可能である。
【００４５】
特に、カルーセルの軸は、関節軸１０１と実質的に平行である。
カルーセル構造は、好ましくはその周囲領域で、複数のブロー成形ステーション３を支持する。
【００４６】
足場はさらに、ブロー成形ステーション３の作動体２０のための少なくとも１つの係合トラックを支持する。
【００４７】
このように、カルーセルの軸を中心とするブロー成形ステーション３の回転中に、それぞれの旋回軸１００を中心とするそれぞれのリンクロッド１１の回転が生成される。
【００４８】
それぞれの旋回軸１００を中心とするリンクロッド１１の、振動を伴う回転は、作動レバーシステムおよび運動移送レバーメカニズムの介在による側体３ａ、３ｂの開閉と、輪郭体１２の動作による底３ｃの昇降とを生成する。
【００４９】
このように考えられたこの発明は、多くの変更および変形の余地があり、それらはすべて、請求項の範囲内にある。
【００５０】
実際には、採用される材料（それらが特定用途に対応する場合）、ならびに寸法および形状は、要件に従ういかなるものであってもよい。
【００５１】
さらに、すべての詳細は、技術的に同等の他の要素によって置換えられてもよい。
本願が優先権を主張するイタリア特許出願第１０２０１５００００７７５５３号（ＵＢ２０１５Ａ００５９７４）における開示が、ここに引用により援用される。
【００５２】
任意の請求項で述べられる技術的特徴に参照符号が続く場合、それらの参照符号は、請求項の理解度を高めるためだけに含まれたものであり、したがって、そのような参照符号は、そのような参照符号によって一例として識別される各要素の解釈に対する限定効果を有していない。
【図１】
2018535129.tif 000003
【図２】
2018535129.tif 000004
【図３】
2018535129.tif 000005
【国際調査報告】
2018535129.tif 000006
2018535129.tif 000007